【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
記憶装置と、
リモートコントローラと、
信号源からテレビ番組を受信する手段と、
該リモートコントローラを使用して、受信されて該記憶装置に記憶されているテレビ番組をユーザが選択することを可能にするグラフィックユーザインタフェース（ＧＵＩ）を生成する手段と、
第一の選択されたテレビ番組を受信して、ユーザ選択に応答して、第一の表示形式、ハンドヘルド装置での表示のために適合される第二の表示形式、又は該記憶装置における第一及び第二の表示形式で該記憶装置に記憶する手段と、
ユーザ選択に応答して、該第二の表示形式で該第一のテレビ番組をハンドヘルド表示装置に転送する手段と、
を備えるテレビジョン記録及び再生システム。
【請求項２】
テレビスケージュール情報を有する電子番組ガイド（ＥＰＧ）情報を受信する手段と、
該ＥＰＧ情報を該ハンドヘルド表示装置に転送し、該ハンドヘルド表示装置から記憶のために選択されたテレビ番組を示す番組情報を受ける手段とをさらに備え、
前記受信して記憶する手段は、該番組情報に応答して該選択されたテレビ番組を受信して記憶する、
請求項１記載のシステム。
【請求項３】
該番組情報は、それぞれの選択されたテレビ番組に関連される指定された再生装置を示す装置再生情報を含み、前記受信して記憶する手段は、該装置再生情報に応答して、該第一の表示形式、該第二の表示形式又は第一及び第二の表示形式で該選択されたテレビ番組を記憶する、
請求項２記載のシステム。
【請求項４】
該生成手段は、該記憶装置に記憶されている番組を該ハンドヘルド表示装置にユーザが選択的に転送することを可能にし、該ハンドヘルド表示装置から該記憶装置に番組を選択的に転送することを可能にする同期メニューを生成する、
請求項１記載のシステム。
【請求項５】
該同期メニューは、ハンドヘルド表示装置に転送される番組に関する視聴状態を提供し、該ハンドヘルド表示装置が該システムに接続されたとき、該記憶装置から視聴された番組を削除するためにユーザが選択することを可能にする、
請求項４記載のシステム。
【請求項６】
該同期メニューは、該記憶装置に記憶されている番組の視聴状態を提供し、該ハンドヘルド表示装置が該システムに接続されたとき、該ハンドヘルド表示装置から視聴された番組を削除するためにユーザが選択することを可能にする、
請求項４記載のシステム。
【請求項７】
テレビジョン記録及び再生システムを制御する方法であって、
記憶装置に記録されるテレビ番組を示すユーザにより選択された番組情報を受信するステップと、
選択されたテレビ番組を受信して、該番組情報及び表示形式の選択に応答して、第一の表示形式、ハンドヘルド表示装置での表示のために適合される第二の表示形式、又は該記憶装置での第一及び第二の表示形式で記憶するステップと、
ハンドヘルド表示装置に転送される記憶されているテレビ番組をユーザが選択することを可能にするグラフィックユーザインタフェース（ＧＵＩ）を提供するステップと、
ユーザによる同期モードの選択に応答して、選択された記憶されているテレビ番組を該第二の表示形式で該ハンドヘルド表示装置に転送するステップと、
を備える方法。
【請求項８】
テレビスケージュール情報を有する電子番組ガイド（ＧＰＧ）情報を受信するステップと、
該ＥＰＧ情報を該ハンドヘルド表示装置に転送し、該ハンドヘルド表示装置から記憶のために選択されたテレビ番組を示す番組情報を受けるステップと、
該番組情報に応答して、該選択されたテレビ番組を受信して記憶するステップと、
をさらに備える請求項７記載の方法。
【請求項９】
該番組情報は、それぞれ選択されたテレビ番組に関連される指定された再生装置を示す装置再生情報を提供し、
前記受信して記憶するステップは、選択されたテレビ番組を第一の表示形式、第二の表示形式、又は第一及び第二の表示形式で記憶する、
請求項７記載の方法。
【請求項１０】
該記憶装置に記憶されている番組を該ハンドヘルド表示装置にユーザが選択的に転送することを可能とし、該ハンドヘルド表示装置から該記憶装置に番組を選択的に転送することを可能にする同期メニューを生成するステップをさらに含む、
請求項７記載の方法。
【請求項１１】
該同期メニューは、ハンドヘルド表示装置に転送された番組に関する視聴状態を提供し、該ハンドヘルド表示装置がテレビジョン記録及び再生システムに接続されたとき、又は該ハンドヘルド装置が該テレビジョン記録及び再生システムに次に接続されたとき、該記憶装置から視聴された番組を削除するためにユーザが選択することを可能にする、
請求項７記載の方法。
【請求項１２】
該同期メニューは、該記憶装置に記憶されている番組に関する視聴状態を提供し、該ハンドヘルド表示装置が該システムに接続されたとき、該ハンドヘルド表示装置から視聴された番組を削除するためにユーザが選択することを可能にする、
請求項７記載の方法。
【請求項１３】
記憶装置と、
リモートコンとローラと、
信号源からテレビ番組を受信するための手段と、
該リモートコントローラを使用して、受信されて該記憶装置に記憶される第一のテレビ番組をユーザが選択することを可能にする手段と、
該第一のテレビ番組を受信して、該記憶装置に第一の表示形式で記憶する手段と、
該第一のテレビ番組を該記憶装置にハンドヘルド表示装置での表示のために適合される第二の表示形式で記憶する手段と、
所望の表示形式に関するユーザ選択に応答して、該第二の表示形式で該第一のテレビ番組を該ハンドヘルド表示装置に転送する手段と、
を備えるテレビジョン記録及び再生システム。
【請求項１４】
該第二の表示形式は、ハンドヘルド装置での表示のために適合され、前記転送する手段は、ユーザ選択に応答して該第一のテレビ番組を該ハンドヘルド装置に転送するため、該システムを該ハンドヘルド装置に接続する手段を含む、
請求項１３記載のシステム。
【請求項１５】
該第一の表示形式で記憶する手段、及び第二の表示形式で記憶する手段は、該テレビ番組を受信する手段に独立に接続され、互いに独立に受信されたテレビ番組をエンコードして記憶する、
請求項１３記載のシステム。
【請求項１６】
該第二の表示形式で記憶する手段は、該第一の表示形式で記憶する手段に接続され、該第一の表示形式で記憶する手段から受信された動きベクトルに応答して、ある表現の第一のテレビ番組を該第二の表示形式で生成して記憶する、
請求項１３記載のシステム。
【請求項１７】
該テレビ番組を受信するための手段は、デジタル表現の該テレビ番組を受信し、該第二の表示形式で記憶する手段は、デジタル表現の該デジタル番組をデコードするデコーダ、及び該第二の表示形式で該テレビ番組を再符号化する手段を含む、
請求項１３記載のシステム。
【請求項１８】
記憶装置と、
リモートコントローラと、
信号源からテレビ番組を受信する手段と、
リモートコントローラを使用して、受信されて該記憶装置に記憶されている第一のテレビ番組をユーザが選択することを可能にするグラフィックユーザインタフェース（ＧＵＩ）を生成する手段と、
該第一のテレビ番組を受信して、所定の表示形式で該記憶装置に記憶する手段と、
ユーザ選択に応答して、該所定の表示形式で該第一のテレビ番組を該ハンドヘルド表示装置に転送する手段と、
を備えるテレビジョン記録及び再生システム。
【請求項１９】
該ハンドヘルド表示装置への転送のためにテレビジョン記録及び再生システムに記憶されているテレビ番組をユーザが選択することを可能とし、該ユーザ選択に応答して同期命令を生成するグラフィックユーザインタフェース（ＧＵＩ）を提供するステップと、
該ハンドヘルド表示装置が該テレビジョン記録及び再生システムに接続されたとき、該同期命令を該テレビジョン記録及び再生システムに転送するステップと、
該同期命令に応答して送信された該選択されたテレビ番組を受信するステップと、
ユーザの再生命令に応答して、該選択されたテレビ番組を表示するステップと、
を備えるハンドヘルド表示装置を制御するための方法。
【請求項２０】
テレビ番組のスケージュール情報を有する電子番組ガイド（ＥＰＧ）情報を受信するステップと、
テレビジョン記録及び再生システムでの記録のためにテレビ番組をユーザが選択することを可能とするＥＰＧ情報に応答して、グラフィックユーザインタフェース（ＧＵＩ）を提供するステップとをさらに備え、
該同期命令は、ユーザ選択に応答して記憶のために選択されたテレビ番組を示す番組情報を含む、
請求項１９記載の方法。